(57)【特許請求の範囲】
【請求項１】
地下空間に設けられ、冬期に雪を蓄えるとともに夏期まで保存する蓄熱槽と、
この蓄熱槽に設けられ、負荷側の熱交換器に連絡する融雪水取出管と、
この融雪水取出管と前記蓄熱槽との間に設けられ、前記蓄熱槽に沈殿する投棄物や細石などの固形物を融雪水から分離するフィルタと、
前記負荷側の熱交換器に連絡する冷水戻り管と
を有し、
前記蓄熱槽は、
雪を蓄えるとともに夏期まで保存する蓄雪槽と、
この蓄雪槽の下部に前記フィルタを介して連絡し、前記フィルタをすり抜けた細かくて重い固形物を沈殿させる部位とこの部位に沈殿した固形物の移動を阻止する堰板を介して前記部位に連接する融雪水取込部を有する融雪水の貯留槽とを備え、
前記融雪水取出管は、
前記貯留槽の融雪水取込部に開口する吸込口と、
融雪水を前記熱交換器に送り出すポンプとを備えている
ことを特徴とする雪利用の冷熱蓄熱装置。
【請求項２】
請求項１記載の雪利用の冷熱蓄熱装置において、
前記蓄熱槽は、法面に沿った底面を有する
ことを特徴とする雪利用の冷熱蓄熱装置。
【請求項３】
請求項１または請求項２記載の雪利用の冷熱蓄熱装置を用いる雪利用の冷熱蓄熱方法において、
冬期に、前記蓄熱槽内に雪を蓄えて夏期まで保存し、
夏期に、前記貯留槽の底部に沈殿する細かくて重い固形物を吸い込むことなく前記融雪水取込部から融雪水を吸い込んで負荷側の熱交換器に送り、冷熱を取り出す
ことを特徴とする雪利用の冷熱蓄熱方法。
【請求項４】
請求項３記載の雪利用の冷熱蓄熱方法において、
前記蓄熱槽内に雪を投入する前に、該蓄熱槽内に水を張っておく
ことを特徴とする雪利用の冷熱蓄熱方法。
【請求項５】
請求項３または請求項４記載の雪利用の冷熱蓄熱方法において、
前記蓄熱槽内に雪を投入後、該蓄熱槽内に外気を取り込む
ことを特徴とする雪利用の冷熱蓄熱方法。
【発明の詳細な説明】
【０００１】
【発明の属する技術分野】
本発明は、雪を利用した季節間蓄熱を目的とした冷熱蓄熱装置およびその方法に関するものである。
【０００２】
【従来の技術】
近年、都市部では、夏期のビル空調用電力量が著しく増大する、といった季節間の需要量の差異がますます大きくなる傾向にある。寒冷地のオフィスビル等においても、冬期に相当量の冷熱が使用されている。
電力利用の観点からは、電力の平準化が求められており、特に夏期の冷房にともなう電力をピークシフトすることが重要になってきている。特に、冷熱の需要の伸びが顕著な中、季節間冷熱蓄熱・供給を合理的に行なうことは、我が国の省エネルギーの施策上も有効であると考えられる。
【０００３】
そこで、従来、融雪水を利用した冷房システムとしては、例えば、雪を利用した冷房システム、あるいは雪中にパイプを設け、不凍液を通じて熱交換するシステムが知られている。
前者の雪を利用した冷房システムは、空気を媒体としており、雪に接するように空気を通気することで周囲の雪より採熱する方法が取られている。
【０００４】
【発明が解決しようとする課題】
しかし、前者の方法では、空気と雪の温度差によって熱交換効率が変化するため、空気温度のコントロールが難しく、また温度が上がると熱交換効率が悪くなり、蓄熱した冷熱を十分に使いきることができないという欠点がある。
また、後者の場合は、パイプ周辺の雪から採熱するため、パイプと雪の間に空気層が生じるという課題があった。
【０００５】
なお、従来の氷蓄熱プラントは、夜間電力を使用したデイリーシステムであり、電力を利用するという意味から最終的には化石燃料にたよったシステムであった。
本発明は、かかる従来の問題点を解決するためになされたもので、その目的は、冬期に雪を効率的に貯雪し、夏期まで保存し、この未利用エネルギーを夏期の冷熱需要に充当することにより、年間を通したエネルギーの平準化を図るとともにエネルギーコストの増大を抑制することを可能とした雪利用の冷熱蓄熱装置およびその方法を提供することにある。
【０００６】
【課題を解決するための手段】
請求項１に係る雪利用の冷熱蓄熱装置は、地下空間に設けられ、冬期に雪を蓄えるとともに夏期まで保存する蓄熱槽と、この蓄熱槽に設けられ、負荷側の熱交換器に連絡する融雪水取出管と、この融雪水取出管と前記蓄熱槽との間に設けられ、前記蓄熱槽に沈殿する投棄物や細石などの固形物を融雪水から分離するフィルタと、前記負荷側の熱交換器に連絡する冷水戻り管とを有し、前記蓄熱槽は、雪を蓄えるとともに夏期まで保存する蓄雪槽と、この蓄雪槽の下部に前記フィルタを介して連絡し、前記フィルタをすり抜けた細かくて重い固形物を沈殿させる部位とこの部位に沈殿した固形物の移動を阻止する堰板を介して前記部位に連接する融雪水取込部を有する融雪水の貯留槽とを備え、前記融雪水取出管は、前記貯留槽の融雪水取込部に開口する吸込口と、融雪水を前記熱交換器に送り出すポンプとを備えていることを特徴とする。
【０００７】
請求項２に係る雪利用の冷熱蓄熱装置は、請求項１記載の雪利用の冷熱蓄熱装置において、前記蓄熱槽は、法面に沿った底面を有することを特徴とする。
【０００８】
請求項３に係る雪利用の冷熱蓄熱方法は、請求項１または請求項２記載の雪利用の冷熱蓄熱装置を用いる雪利用の冷熱蓄熱方法において、冬期に、前記蓄熱槽内に雪を蓄えて夏期まで保存し、夏期に、前記貯留槽の底部に沈殿する細かくて重い固形物を吸い込むことなく前記融雪水取込部から融雪水を吸い込んで負荷側の熱交換器に送り、冷熱を取り出すことを特徴とする。
【０００９】
請求項４に係る雪利用の冷熱蓄熱方法は、請求項３記載の雪利用の冷熱蓄熱方法において、前記蓄熱槽内に雪を投入する前に、該蓄熱槽内に水を張っておくことを特徴とする。
【００１０】
請求項５に係る雪利用の冷熱蓄熱方法は、請求項３または請求項４記載の雪利用の冷熱蓄熱方法において、前記蓄熱槽内に雪を投入後、該蓄熱槽内に外気を取り込むことを特徴とする。
【００１１】
（作用）
請求項１ないし請求項５に係る雪利用の冷熱蓄熱装置およびその方法においては、雪の融けた冷水を媒体として直接利用するため、効率的な採熱ができ、温度コントロールが容易である。また、０℃を超えた領域においても、蓄熱した冷熱を有効に活用することが可能である。
【００１２】
また、自然雪を利用したシステムであり、いわゆる未利用のエネルギーを活用したものであるから、ＣＯ2の発生量の削減に貢献するものである。
さらに、単に地下空間に冷熱を貯めるだけではなく、都市部の混入物の多い種々の性状の残雪をハンドリングし効率的に蓄熱槽に投入、混入物の除去対策を行ない、さらに外気温を利用して雪の密度の増大を図ることで蓄熱効果を高め、断熱された蓄熱槽で夏期まで効率的に保存し、夏期において蓄熱槽内の融雪水の温度と量を把握しつつ、例えば蓄熱槽内の融雪水の温度を検出し、利用できるか否かの判断を行いながら、融雪水を蓄熱槽に戻すか排水するかをコントロールし、熱源とした冷熱の供給を最適にコントロールすることができる。
【００１３】
【発明の実施の形態】
以下、本発明を実施形態により説明する。
図１は、本発明の第一の実施形態に係る雪利用の冷熱蓄熱装置およびその方法を示す（請求項１ないし請求項５に対応する）。本実施形態は、空調装置（図示せず）を備えた建物（負荷側）１に適用したものである。
【００１４】
建物１の地下空間には、冬期に雪Ｓを蓄えるとともに夏期まで保存する蓄熱槽３が設けられている。この蓄熱槽３は、通常の氷蓄熱用の槽と同様に、コンクリート水槽としてある。
この蓄熱槽３は、雪Ｓを蓄えるとともに夏期まで保存する蓄雪槽１１と、この蓄雪槽１１の下部にフィルタ１３を介して連絡する融雪水Ｗの貯留槽１５とを備えている。ここで、フィルタ１３は、例えば、細石などの沈殿物を融雪水Ｗから分離することができる程度の機能を有するパンチング板などが用いられる。このフィルタ１３で除去される固形物質は、ほぼ５ｍｍ以上の成分が代表的であり、これらの固形物質は、投棄されたものや、土砂などである。例えば、紙類（ビラ、チケット、ちり紙、紙パック類、吸い殻など）、ガラス・布・ビニール類（ガラス瓶など飲料・調味料容器、ラップフィルム、食品包装のプラスッチク、スーパーの買い物袋）、植物類（野菜屑など）、空き缶を中心とした金属類、タオルなどの布類、食べ物などがある。なお、土砂の大部分は、フィルタ１３をすり抜けて後述する固形物質Ｄ３となる。
【００１５】
融雪水Ｗの貯留槽１５には、図示しない温度計、水位計が設けられている。融雪水Ｗの貯留槽１５の水位は、後述する吸込口２７より上位に位置するように設定されている。
また、蓄雪槽１１の上部には、例えば、都市部の混入物の多い種々の性状の残雪や除雪された雪などをダンプカーＤによって投入することができる投入口１７が設けられている。この投入口１７には、開閉蓋１９が取り付けられている。
【００１６】
また、投入口１７の下部には、ストックヤード２１が形成され、例えば、図２に示すように、雪飛ばし機構３３が設けられている。なお、図２は、雪の充填方法として雪飛ばし機構３３を用いた例を示すもので、専ら雪飛ばし機構３３を主体として説明するものであるから、その他の構成については省略している。
この雪飛ばし機構３３は、ダンプカーＤにより投入された雪Ｓを取り込むホッパ３５と、このホッパ３５の下方に設けた攪拌機３７と、この攪拌機３７に連絡する送風機３９とで構成されている。この雪飛ばし機構３３は、例えば、人工スキー場やスキー場のゲレンデに設けてある装置と同様の機能を有する。
【００１７】
雪飛ばし機構３３は、攪拌機３７による操作によって、送風機３９に送られる雪の密度を自由に調整することができるので、蓄熱槽１１内の任意の個所に雪を飛ばすことが可能である。
その際、飛ばされる雪Ｓを蓄熱槽１１内に満遍なく行き渡らせるために、蓄熱槽１１内または蓄熱槽１１の天井に、角度が自由に調節可能な邪魔板４０ａ，４０ｂ，４０ｃ，４０ｄを設けることが望ましい。邪魔板４０ａ，４０ｂ，４０ｃ，４０ｄの個数、角度調整機構は、適用される蓄熱槽１１に応じて任意に設定される。
【００１８】
また、蓄雪槽１１には、建物１の空調装置の熱交換器５に連絡する融雪水取出管７が取り付けられている。
この融雪水取出管７は、吸込口２７が融雪水Ｗの貯留槽１５に開口し、ポンプ３１に連絡している。この融雪水取出管７には、ポンプ３１に連絡する吸込管２９が挿入されている。この吸込管２９を介して融雪水取出管７内の融雪水Ｗを熱交換器５に送るようになっている。
【００１９】
また、吸込口２７は、融雪水Ｗの貯留槽１５に設けた堰板２３により形成された融雪水取込部２５内に開口し、この融雪水取込部２５内の融雪水Ｗを吸い込むようになっている。
また、熱交換器５には、冷水戻り管９が取り付けられている。この冷水戻り管９は、熱交換器５から排出される水を、蓄雪槽３内の雪Ｓに向かって吹きかけることができるように設置されている。また、冷水戻り管９には、ポンプ３１と熱交換器５との間の融雪水取出管７に連絡するバイパス管９ａが設けてある。このバイパス管９ａによって、融雪水を循環させることができるようになっている。さらに、冷水戻り管９には、排水管９ｂが設けられている。この排水管９ｂによって、不要となった融雪水Ｗを排水することができるようになっている。
【００２０】
次に、このように構成された第一実施形態の作用を説明する。
冬季において、図１に示すように、例えば、ダンプカーＤによって雪Ｓを蓄熱槽３の投入口１７から投入する。投入された雪Ｓは、図２に示すように、ストックヤード２１に設けられた雪飛ばし機構３３によって、蓄雪槽１１内に満遍なく行き渡るように飛ばされる。なお、雪投入に際し、蓄雪槽１１内に予め水を張っておくと良い（請求項４）。
【００２１】
そして、この状態で、夏期まで蓄熱を行なう。
この間、雪Ｓに混入した軽い固形物質Ｄ１は水に浮遊し、細石などの重い固形物質Ｄ２は下部のフィルタ１３上に沈殿する。そして、細かくて重い固形物質Ｄ３が貯留槽１５内に沈殿する。これらの固形物質Ｄ１，Ｄ２，Ｄ３は、例えば、定期点検などの際に取り除かれる。
【００２２】
また、蓄熱槽３に投入された雪Ｓは、蓄雪槽１１の下部において圧密され密度が０．８前後となり、氷結もおこり氷に近い状態になる。また、積雪地帯の外気は、零度以下になることが多いので、氷に近い状態になりやすい。そこで、開閉蓋１９を、例えば夜間などに蓄雪槽１１内に外気を取り込んで雪の密度増大させる場合に開けることができる（請求項５）。
【００２３】
そして、夏期において、図１に示すように、吸込口２７から融雪水取出管７内に流入する貯留槽１５の融雪水Ｗを、ポンプ３１を稼働して吸込管２９を介して吸い上げる。この際、吸込口２７は、融雪水Ｗの貯留槽１５に設けた堰板２３により形成された融雪水取込部２５内に開口しているので、貯留槽１５の底部に沈殿している細かくて重い固形物質Ｄ３を吸い込むことなく、融雪水Ｗを吸い込むことができる。
【００２４】
この際、蓄熱槽３内の融雪水Ｗの温度と量を把握することが望ましい。そのためには、例えば蓄熱槽３内の融雪水Ｗの温度を、融雪水Ｗの貯留槽１５に設けた温度計で検出し、図示しないコントロール室内に設けた制御装置にて利用できるか否かの判断を行いながら、融雪水Ｗを蓄熱槽３に戻すか排水するかあるいは循環させるかをコントロールし、熱源とした冷熱の供給を最適にコントロールすることができる。また、蓄熱槽３内の融雪水Ｗの量は、例えば融雪水Ｗの貯留槽１５に設けた水位計によって計測され、同様にコントロール室内に設けた制御装置にて利用できるか否かの判断を行いながら、融雪水Ｗを蓄熱槽３に戻すか排水するかをコントロールし、熱源とした冷熱の供給を最適にコントロールすることができる。
【００２５】
このように吸い込まれた融雪水Ｗは、例えば、０℃とすると、熱交換器５において冷熱を取り出され（△ｔ＝５〜１０℃）、５〜１０℃の水となって蓄雪槽１１内の雪Ｓに向かって吹き出される。これによって、雪Ｓが融雪水Ｗに変えられる。
例えば、本実施形態によれば、３７，５００ｍ3の蓄熱槽３を設置した場合、７００万Ｍジュールが夏期に利用でき、これだけ従来エネルギーの削減が可能となる。また、これは約６８，０００ｍ2のオフィスビルの年間冷熱負荷の５０％を賄う量であり、これを夏期の冷熱負荷ピーク時に利用することで、従来のエネルギープラントの規模の削減が可能となる。
【００２６】
以上のように、本実施形態によれば、大規模かつ安定した季節間冷熱蓄熱・冷熱供給を行うことが可能となる。
また、従来、除雪は、融雪槽やロードヒーティングシステム等で相当のエネルギーを利用しての融雪が行われているが、本実施形態では、この雪を冷熱源として利用するので、融雪エネルギーを削減することができるとともに、寒冷地の除雪・融雪費用の低減に貢献することができる。
【００２７】
さらに、夏期に融雪水を使用するので、夏期の電力ピークカットを行うことでき、省エネルギーに貢献することができる。
また、冷熱源として雪という自然の未利用エネルギーを活用するので、ＣＯ2の削減に貢献することができる。
なお、上記実施形態では、融雪水Ｗの貯留槽１５に設けた堰板２３により形成された融雪水取込部２５内の融雪水Ｗを吸い込むようにした場合について説明したが、本発明はこれに限らず、例えば、沈殿固形物質を吸い上げない程度の流速で融雪水Ｗをポンプアップすることで、固形物質の混ざらない融雪水Ｗを熱交換器５に供給することができる。
【００２８】
また、上記実施形態では、雪の充填方法として、ストックヤード２１に雪飛ばし機構３３を設けて、蓄雪槽１１内に満遍なく行き渡るようにした場合について説明したが、本発明はこれに限らず、例えば、雪飛ばし機構３３に代えて図３に示すコンベヤ機構４１や図４に示す水混入機構４３としても良い。
図３に示すコンベヤ機構４１は、攪拌機３７から送り出される雪Ｓを、ベルトコンベヤ４１ａ，４１ｂ，４１ｃ，４１ｄによって蓄雪槽１１内に搬送するとともに、各ベルトコンベヤ間の隙間から雪Ｓを落下させるようになっている。４１ｅは堰板である。
【００２９】
図４に示す水混入機構４３は、攪拌機３７から送り出される雪Ｓに水を混入する水槽４３ａを設け、傾斜して設けた複数の滑り台４３ｃ，４３ｄ，４３ｅ，４３ｆによってゼリー状の雪Ｓを蓄雪槽１１内に搬送するとともに、各滑り台間の隙間からゼリー状の雪Ｓを落下させるようになっている。
ここで、水槽４３ａには、融雪水Ｗの貯留槽１５から水を取り出す管路４３ｂが設けてある。また、滑り台４３ｃ，４３ｄ，４３ｅ，４３ｆには、水路を設けると、下流側まで確実にゼリー状の雪Ｓを搬送できる。
【００３０】
図４に示す水混入機構４３では、蓄雪槽１１に蓄えられる雪Ｓは、ゼリー状である点で他の実施形態とは異なる。
本発明では、蓄雪槽１１内への雪の搬入方式はこれらに限らず、例えば、図５に示すように、ストックヤード２１を設けないものでも良い。この場合には、蓄雪槽１１内の雪Ｓに水をかける、あるいはゼリー状の雪を用いるなどの手段により、蓄雪槽１１内の雪Ｓの偏りを防止すると、同様の効果が期待できる。また、図６に示すように、複数の投入口１７を設けても良い。
【００３１】
また、上記実施形態では、融雪水取出管７を、蓄熱槽３内に設けた場合について説明したが、本発明ではこれに限らず、例えば、蓄熱槽３の外壁に沿って配設しても良い。
さらに、蓄熱槽３の底面が平坦な場合について説明したが、底面を法面にすると、蓄熱槽３内に沈殿する固形物質Ｄ２がフィルタ１３上に自然に集められるので、これらの除去が容易となる。
【００３２】
また、建物１の地下空間に蓄熱槽３を設けた場合について説明したが、例えば、公園や広場のような大きな敷地の地下に設けても良い。
図７および図８は、本発明の第二の実施形態に係る雪利用の冷熱蓄熱装置および方法を示す（請求項１ないし請求項５に対応する）。
本実施形態は、経済性の観点からイニシャルコストの低減を主眼として、蓄熱槽５０を安価に築造することを可能とした例を示す。
【００３３】
本実施形態では、蓄熱槽５０の底面５１を法面とし山留めを不要とした形態であり、大幅なコストダウンが図れるものである。
蓄熱槽５０は、円筒形状をした壁５３の下部にコーン形状をした底面５１が連結している。底面５１の下部には、円筒形状の貯留槽５５が連絡している。
また、蓄熱槽５０は、中心部に設けられた円筒形状のコア部５７と、このコア部５７から壁５３に向かって放射状に設けられた複数の仕切壁５９と、コア部５７の下部と貯留部５５との間に設けられたフィルタ６１とで構成されている。
【００３４】
この蓄熱槽５０では、複数の仕切壁５９によって複数の蓄雪槽６３が形成されている。各蓄雪槽６３には、図３に示すように、投入口６５が設けられている。投入口６５には、開閉蓋６７が取り付けられている。
また、コア部５７には、機械室６９が設けられている。この機械室６９には、融雪水Ｗを取り込むための融雪水取出管７１が取り付けられている。この融雪水取出管７１は、第一実施形態と同様に、建物７５の空調装置（図示せず）の熱交換器８１に連絡する。
【００３５】
この融雪水取出管７１は、吸込口７３が融雪水Ｗの貯留槽５５に開口し、ポンプ７７に連絡している。この融雪水取出管７１には、ポンプ７７に連絡する吸込管７９が挿入されている。この吸込管７９を介して融雪水取出管７１内の融雪水Ｗを熱交換器８１に送るようになっている。
【００３６】
また、熱交換器８１には、冷水戻り管８３が取り付けられている。この冷水戻り管８３は、熱交換器８１から排出される水を、各蓄雪槽６３内の雪Ｓに向かって吹きかけることができるように設置されている。
次に、このように構成された第二実施形態の作用を説明する。
冬季において、図７に示すように、例えば、ダンプカーＤによって雪Ｓを各蓄雪槽６３の投入口６５から投入する。なお、雪投入に際し、蓄雪槽１１内に予め水を張っておくと良い（請求項４）。
【００３７】
そして、この状態で、投入された雪Ｓは、夏期まで蓄熱される。
この間、雪Ｓに混入した軽い固形物質Ｄ１は水に浮遊し、細石などの重い固形物質Ｄ２は下部のフィルタ６１上に沈殿する。そして、細かくて重い固形物質Ｄ３が貯留槽５５内に沈殿する。これらの固形物質Ｄ１，Ｄ２，Ｄ３は、例えば、定期点検などの際に取り除かれる。
【００３８】
また、各蓄雪槽６３に投入された雪Ｓは、蓄雪槽６３の下部において圧密され密度が０．８前後となり、氷結もおこり氷に近い状態になる。また、積雪地帯の外気は、零度以下になることが多い。そこで、開閉蓋６７を、例えば夜間などに蓄雪槽６３内に外気を取り込んで雪の密度増大させる場合に開けることができる（請求項５）。
【００３９】
そして、夏期において、図７に示すように、吸込口７３から融雪水取出管７１内に流入する貯留槽５５の融雪水Ｗを、ポンプ７７を稼働して吸込口７９を介して吸い上げる。
この際、蓄熱槽５０内の融雪水Ｗの温度と量を把握することが望ましい。そのためには、例えば蓄熱槽５０内の融雪水Ｗの温度を、融雪水Ｗの貯留槽５５に設けた温度計で検出し、図示しないコントロール室内に設けた制御装置にて利用できるか否かの判断を行いながら、融雪水Ｗを蓄熱槽５０に戻すか排水するかあるいは循環させるかをコントロールし、熱源とした冷熱の供給を最適にコントロールすることができる。また、蓄熱槽５０内の融雪水Ｗの量は、例えば融雪水Ｗの貯留槽５５に設けた水位計によって計測され、同様にコントロール室内に設けた制御装置にて利用できるか否かの判断を行いながら、融雪水Ｗを蓄熱槽５０に戻すか排水するかをコントロールし、熱源とした冷熱の供給を最適にコントロールすることができる。
【００４０】
このように吸い込まれた融雪水Ｗは、例えば、０〜２℃とすると、熱交換器８１において冷熱を取り出され（△ｔ＝３〜４℃）、７〜１０℃の水となって各蓄雪槽６３内の雪Ｓに向かって吹き出される。これによって、雪Ｓが融雪水Ｗに変えられる。
本実施形態によれば、上記実施形態と同様の効果を得ることができる。
【００４１】
また、本実施形態によれば、各蓄雪槽６３から中央の貯留部５５に向かう勾配を確保することができ、効率的に融雪水および混入物を集めることができる。
また、コア部５７を固めた構造となっており、コア部５７の内部の機械室等への利用、および上部空間に塔状の建築物が建設可能になる。
また、屋根などの積載荷重に対しては、壁柱や梁を設けることにより、機能を損なわずに対応できる。
【００４２】
なお、図７に示す実施形態では、複数の仕切壁５９によって複数の蓄雪槽６３を設けた場合について説明したが、本発明はこれに限らず、例えば、複数の仕切壁５９を取り除いても良い。
また、図７に示す実施形態では、中心部にコア部５７を設けた場合について説明したが、本発明はこれに限らず、例えば、図９に示すように、コア部５７を取り除き、融雪水取出管７１を、天井側の壁面８５に固定しても良い。
【００４３】
この場合にも、複数の仕切壁５９を取り除いても良い。
また、必要に応じて屋根などを断熱構造としても良い。
【００４４】
【発明の効果】
以上のように、本発明は、雪を利用した季節間蓄熱を目的とした冷熱蓄熱システムであり、我が国ではまだ実績の無い大規模かつ安定した季節間冷熱蓄熱・冷熱供給を行うことが可能となる。
【００４５】
また、雪を冷熱源として利用するので、融雪エネルギーを削減することができる。また、あわせて寒冷地の除雪・融雪費用の低減に貢献することができる。
さらに、夏期の電力ピークカットを行うので、省エネルギーに貢献することができる。
また、雪という自然の未利用エネルギーを活用するので、ＣＯ2の削減に貢献することができる。
さらに、従来のデイリー蓄熱システムと併用することで空間的・エネルギー的に更に効率の良い運用が可能となる。
【図面の簡単な説明】
【図１】本発明の第一実施形態を示す説明図である。
【図２】図１の第一実施形態における雪の充填方法を示す説明図である。
【図３】図１の第一実施形態における雪の充填方法を示す説明図である。
【図４】図１の第一実施形態における雪の充填方法を示す説明図である。
【図５】本発明の第一実施形態の変形例を示す説明図である。
【図６】図５の第一実施形態の変形例における雪の充填方法を示す説明図である。
【図７】本発明の第二実施形態を示す説明図である。
【図８】図７における蓄熱槽を示す説明図である。
【図９】本発明の第二実施形態の変形例を示す説明図である。
【符号の説明】
１，７５  建物
３，５０  蓄熱槽
５，８１  熱交換器
７，７１  融雪水取出管
９，８３  冷水戻り管
１１，６３  蓄雪槽
１３，６１  フィルタ
１５，５５  貯留槽
２３  堰板
２７，７３  吸込口
２９，７９  吸込管
３１，７７  ポンプ
Ｓ  雪
Ｗ  融雪水
【図１】
0003872225.tif 000002
【図２】
0003872225.tif 000003
【図３】
0003872225.tif 000004
【図４】
0003872225.tif 000005
【図５】
0003872225.tif 000006
【図６】
0003872225.tif 000007
【図７】
0003872225.tif 000008
【図８】
0003872225.tif 000009
【図９】
0003872225.tif 000010